(57)【要約】【課題】フィードチェーン設置部の開放構造を十分な強度を有するものにすると共に、脱穀装置及び刈取装置の内部のメンテナンスが容易に行えるコンバインを提供すること。【解決手段】穀稈を脱穀するための脱穀装置１５に穀稈を搬送するフィードチェーン１４を含む穀稈搬送部の中のフィードチェーン１４とフィードチェーンの側面に設けられるフィードチェーンカバー８０と脱穀装置１５の側方を覆う一部の開閉板８３を一体的に取り付け、前記一体的な穀稈搬送部部分を、脱穀装置１５の一側面の後方側の機体に設けられた上下方向の回動軸５５ａを中心に機体の側方に開閉可能に取り付けたコンバインである。フィードチェーン１４を開放した状態で、脱穀装置１５の側方を覆う一部の開閉板８３もフィードチェーン１４と共に一体的に開放されるので、脱穀装置１５の内部のメンテナンスが容易に行える。【選択図】        図３
2004337070.tif 000002
【特許請求の範囲】
【請求項１】
植立穀稈を刈り取る刈取装置６と刈り取った穀稈の扱ぎ深さを調節した後に搬送する供給搬送装置と該扱ぎ深さを調節された穀稈を脱穀するための脱穀装置１５と、該脱穀装置１５に穀稈を搬送するフィードチェーン１４を含む穀稈搬送部を機体に備えたコンバインにおいて、
フィードチェーン１４を含む穀稈搬送部の中のフィードチェーン１４と該フィードチェーン１４の側面に設けられるフィードチェーンカバー８０と脱穀装置１５の側方を覆う一部の開閉板８３を一体的に取り付け、前記一体的な穀稈搬送部を、脱穀装置１５の一側面の後方側の機体に設けられた上下方向の回動軸５５ａを中心に機体の側方に開閉可能に取り付けたことを特徴とするコンバイン。
【請求項２】
フィードチェーンカバー８０の外方には脱穀装置１５からの駆動力をフィードチェン１４に伝達するためのクラッチレバー１６１をフィードチェーンカバー８０と一体的に設けたことを特徴とする請求項１記載のコンバイン。
【請求項３】
クラッチレバー１６１によるフィードチェーンの駆動の入、切を行うワイヤケーブル８５を設け、該ワイヤケーブル８５は回動軸５５ａの内部を貫通して脱穀装置１５の駆動系とフィードチェーンを接続していることを特徴とする請求項２記載のコンバイン。
【請求項４】
脱穀装置１５の両側の側板５９を連結するフレーム５８を設け、前記側板５９に前記一体的な穀稈搬送部の回動軸５５ａを連結したことを特徴とする請求項１ないし３のいずれかに記載のコンバイン。
【発明の詳細な説明】
【０００１】
【発明の属する技術分野】
本発明は、圃場において穀類の収穫作業を行うコンバインに関する。
【０００２】
【従来の技術】
コンバインは、車体フレームの下部側に土壌面を走行する左右一対の走行クローラを有する走行装置を配設し、車体フレームの前端側に分草具と、引起しケースと、植立穀稈を刈り取る刈刃と、該刈刃にて刈り取られた穀稈を挟持して後方に搬送する株元搬送装置と供給搬送装置とからなる刈取装置、該刈取装置の供給搬送装置から搬送されてくる穀稈を引き継いで搬送するフィードチェーンを有する脱穀装置と、該脱穀装置で脱穀選別された穀粒を一時貯溜するグレンタンクが載置されている。また、グレンタンクの後部に縦オーガと横オーガとからなる排出オーガを設けており、グレンタンク内に一時貯留してある穀粒をコンバインの外部に排出できる構成としている。
【０００３】
脱穀装置の後方には、藁屑および塵埃を脱穀装置内から吸引して圃場に放出する横断流ファンを設け、かつ脱穀後の排藁は排藁チェーンで搬送して、そのまま直接圃場に放出するか、カッターで切断してから圃場に放出する。脱穀装置の最後部に排藁を圃場に直接放出するか、カッターで切断後に放出するかを切り替えるドロッパーカバーを設けている。
【０００４】
コンバインの走行、刈取、脱穀、穀粒排出運転などは、コンバインの運転席に搭乗するオペレータが運転席の操作装置を手動操作により操作するほか、操作装置に組み込まれた自動制御装置により自動操作して行う。
【０００５】
上記コンバインにおいて、脱穀装置の点検、修理などのために脱穀装置の側面を開放するためにフィードチェーン設置部分の側壁板を回動させて脱穀装置を開放状態にすることが必要である。
【０００６】
そのため回転軸を中心にフィードチェーン設置部分の側壁板を建物のドアを開くように回動させる構成のコンバインが知られている（特開２００２−２７８２２号公報など）。
【０００７】
【特許文献１】
特開２００２−２７８２２号公報
【０００８】
【発明が解決しようとする課題】
上記特開２００２−２７８２２号公報記載のフィードチェーン設置部分の側壁板を回動させて脱穀装置を開放状態にする構成は、脱穀装置の前方側に設けた縦回転軸を中心にフィードチェーン設置部を開放する構成であるが、この場合にはフィードチェーン開放時、フィードチェーンを開放するとフィードチェーン先端部が供給チェーンと干渉し、開放角度を大きく出来ない問題点がある。
【０００９】
そこで、本発明の課題は、フィードチェーン設置部の開放構造を十分な強度を有するものにすると共に、脱穀装置及び刈取装置の内部のメンテナンスが容易に行えるコンバインを提供することである。
【００１０】
【課題を解決するための手段】
上記課題は次の解決手段により達成される。
請求項１に記載した発明は、植立穀稈を刈り取る刈取装置６と刈り取った穀稈の扱ぎ深さを調節した後に搬送する供給搬送装置と該扱ぎ深さを調節された穀稈を脱穀するための脱穀装置１５と、該脱穀装置１５に穀稈を搬送するフィードチェーン１４を含む穀稈搬送部を機体に備えたコンバインにおいて、フィードチェーン１４を含む穀稈搬送部の中のフィードチェーン１４と該フィードチェーン１４の側面に設けられるフィードチェーンカバー８０と脱穀装置１５の側方を覆う一部の開閉板８３を一体的に取り付け、前記一体的な穀稈搬送部を、脱穀装置１５の一側面の後方側の機体に設けられた上下方向の回動軸５５ａを中心に機体の側方に開閉可能に取り付けたコンバインである。
【００１１】
請求項１に記載した発明によれば、フィードチェーン１４を開放した状態で、脱穀装置１５の側方を覆う一部の開閉板８３もフィードチェーン１４と共に一体的に開放されるので、脱穀装置１５の内部のメンテナンスができる。
【００１２】
請求項２記載の発明は、脱穀装置１５の両側を覆う側板５９を連結するフレーム５８を設け、前記側板５９に前記一体的な穀稈搬送部の回動軸５５ａを連結した請求項１記載のコンバインである。
請求項２記載の発明によれば、請求項１記載の作用に加えて、片持支持の一体的は穀稈搬送部を強固に支持できる。
【００１３】
請求項３に記載した発明は、フィードチェーンカバー８０の外方には脱穀装置１５からの駆動力をフィードチェン１４に伝達するためのクラッチレバー１６１をフィードチェーンカバー８０と一体的に設けた請求項１又は２記載のコンバインである。
【００１４】
請求項３記載の発明によれば、請求項１又は２記載の作用に加えて、例えば車速が低速であるときも、クラッチレバー１６１をフィードチェーン１４を脱穀装置１５からの駆動力で駆動できる。
【００１５】
請求項４に記載した発明は、クラッチレバー１６１によるフィードチェーンの駆動の入、切を行うワイヤケーブル８５を設け、該ワイヤケーブル８５は回動軸５５ａの内部を貫通して脱穀装置１５の駆動系とフィードチェーンを接続している請求項３記載のコンバインである。
【００１６】
請求項４記載の発明によれば、請求項３記載の作用に加えて、フィィードチェーン１４の駆動の入、切を行うワイヤケーブル８５を回動軸５５ａの内部を貫通して設けたので、長いワイヤ８５が絡まることなくクラッチレバー１６１によるフィードチェーンの駆動の入、切ができる。
【００１７】
【発明の効果】
請求項１に記載した発明によれば、フィードチェーン１４を開放した状態で、脱穀装置１５の側方を覆う一部の開閉板８３もフィードチェーン１４と共に一体的に開放されるので、脱穀装置１５の内部を容易にメンテナンスができ、従来に比して整備能率が良くなる。
【００１８】
請求項２記載の発明によれば、請求項１記載の効果に加えて、片持支持の一体的な穀稈搬送部を強固に支持でき、耐久性が従来より高くなる。
【００１９】
請求項３記載の発明によれば、請求項１又は２記載の効果に加えて、例えば車速が低速であるときも、クラッチレバー１６１をフィードチェーン１４を脱穀装置１５からの駆動力で駆動でき、一定速度以上の速度でフィードチェン１４を駆動できる。
【００２０】
請求項４記載の発明によれば、請求項３記載の効果に加えて、長いワイヤ８５が絡まることなくクラッチレバー１６１によるフィードチェーンの駆動の入、切ができ、クラッチレバー１６１を用いても容易にフィィードチェーン１４の駆動の入、切を確実に行うことができる。
【００２１】
【発明の実施の形態】
以下、本発明の実施の形態を図面に基づいて具体的に説明する。
図１は本発明の実施の形態の穀類の収穫作業を行うコンバインの左側面図を示し、図２は図１のコンバインの脱穀装置のフィートチェーンなどの駆動機構の側面略図を示し、図３は図１のコンバインの刈取装置と脱穀装置の駆動部の略図を含む全体の平面略図を示し、図４は図１のコンバインの刈取装置と脱穀装置の駆動部の略図を含む全体の前面略図を示し、図５は図１のコンバインのエンジンからの駆動の無圧無段変速装置（ＨＳＴ）と揺動棚からフィードチェーンへの動力伝達機構図を示し、図６は刈取装置とフィードチェーン設置部を機体から開放した状態の平面略図を示す。
また、本明細書で、左側及び右側とはコンバインが前進する方向に向かっての方向を言うものとする。
【００２２】
図１などに示すコンバインの走行フレーム２の下部には、駆動輪１にゴムなどの可撓性材料を素材として無端帯状に成型した左右一対のクローラ４を持ち、乾田はもちろんのこと、湿田においてもクローラ４が若干沈下するだけで自由に走行できる構成の走行装置３を備え、走行フレーム２の前部には刈取装置６を搭載し、走行フレーム２の上部にはエンジン２１（図５）ならびに脱穀装置１５、操縦席２０およびグレンタンク３０を搭載する。
【００２３】
刈取装置６は、図示しない刈取昇降シリンダの伸縮作用により刈取装置６全体を昇降して、圃場に植生する穀稈を所定の高さで刈取ることができる構成としている。刈取装置６の前端下部に分草具７を、その背後に傾斜状にした図示しない穀稈引起し装置５を、その後方底部には刈刃５ａを配置している。該刈刃５ａと脱穀装置１５のフィードチェーン１４の始端部との間に、前部搬送装置１１と穂先搬送ラグ８と株元搬送チェーン９からなる供給搬送装置などを、順次穀稈の受継搬送と扱深さ調節とができるように配置している。
【００２４】
コンバインの刈取装置６の作動は次のように行われる。まず、エンジン２１を始動して操向レバー１０をコンバインが前進するように操作し、図５に示す刈取クラッチＣ１と脱穀クラッチＣ２を刈取レバー４７と脱穀レバー４８を入り操作して機体の回転各部を伝動しながら、走行フレーム２を前進走行させると、刈取、脱穀作業が開始される。
【００２５】
圃場に植立する穀稈は刈取装置６の前端下部にある分草具７によって分草作用を受け、次いで穀稈引起し装置５の引起し作用によって倒伏状態にあれば直立状態に引起こされ、穀稈の株元が刈刃５ａに達して刈取られ、前部搬送装置１１に掻込まれて後方に搬送され、穂先搬送ラグ８と株元搬送チェーン９からなる供給搬送装置に受け継がれて順次連続状態で後部上方に搬送される。
【００２６】
穀稈は株元搬送チェーン９からフィードチェーン１４の始端部に受け継がれ、脱穀装置１５の主脱穀部である扱室６６に挿入される。該扱室６６に軸架された扱胴６９は、その表面に多数の扱歯６９ａが設けられており、図示しない駆動機構によりエンジン２１からの動力で回転する。扱室６６に挿入された穀粒の付いた穀稈はフィードチェーン１４とスプリング６８で付勢のフィードチェーン挟扼杆６７（図２）との間に挟扼され、図１、図２の矢印Ａ方向に移送されながら、回転する扱胴６９の扱歯６９ａにより脱穀される。穀稈から分離された被処理物（穀粒や藁くず）は扱網（図示せず）を通過して、揺動棚５１（図５）で受け止められる。
【００２７】
揺動棚５１は図示しない揺動棚駆動機構の作動により上下前後方向に揺動するので、被処理物は風力選別され、最終的にグレンタンク３０へ搬送される。該グレンタンク３０に貯留された穀粒は、オーガ１８、１９を経由してコンバインの外部へ搬送される。
【００２８】
脱穀装置１５の扱室６６の終端に到達した脱穀された残りの穀稈で長尺のままのものは図３に示すように排藁チェーン８０および排藁穂先ラグ（図示せず）に挟持されて搬送され、脱穀装置１５の後部の藁用カッター８１に投入された後、切断され、圃場に放出される。
【００２９】
上記構成からなる本実施例のコンバインにおいて、フィードチェーン１４およびその関連部材（以下、フィードチェーン設置部という）を開放する構成について説明する。
図２に示すように無端チェーンからなるフィードチェーン１４の両端の動輪５２を支持する動輪支持フレーム５３は脱穀装置１５の後部側壁の上方部に支持されたコ字状の支持部材５５に固着したアーム５４に一体的に接続している。また、図７に示すように、動輪支持フレーム５３の上面にはレール７６が固定され、該レール７６の両サイドをフィードチェーン１４のリンクプレートが走り、レール７６の上をフィードチェーン１４のローラが走る。コ字状の支持部材５５の両端は回動自在に取付片５７に支持されているが、該取付片５７は脱穀装置１５の左右両側の側板５９に掛け渡された左右方向に伸びた側板フレーム５８（図３参照）に連結している。
【００３０】
従って、フィードチェーン設置部はコ字状の支持部材５５の両端の取付片５７への回動支点（回動軸５５ａ）を中心に前方が開放する（これを以後、フィードチェーンオープンと言うことがある）構成になっている。
【００３１】
フィードチェーン１４の回動支点（回動軸５５ａ）は、フィードチェーンオープン時には片持支持されるだけであるので、過大な力が前記回動支点（回動軸５５ａ）に発生する。この回動支点（回動軸５５ａ）をコ字状の支持部材５５とその取付片５７と側板フレーム５８に支持させることで、コンバインの機体と前記回動支点（回動軸５５ａ）の支持用の部材５３〜５８を一体化でき、その強度は十分大きなものとなり、また構成が比較的簡単であるので軽量化、コンパクト化ができる。
【００３２】
また、排藁用のカッター８１の駆動用プーリ８２と該プーリ８２を駆動するカッターベルト８４は、フィードチェーンオープン時の回動用の部材であるコ字状の支持部材５５及びアーム５４などの内側に配置してあるので、フィードチェーンオープン時にカッターベルト８４を外す必要がない。
【００３３】
また、図３、図４に示すようにフィードチェーン１４と入口漏斗６２を一体化しておけば、フィードチェーンオープン時には、刈取装置６と脱穀装置１５の両方のメンテナンスが容易となる。なお、入口漏斗６２は株元搬送チェーン９からなる供給搬送装置から穀稈をフィードチェーン１４に受け渡すときに穀稈の下方にあって、前記受け渡しを確実にするための補助部材である。
【００３４】
フィードチェーン１４の前方よりにはフィードチェーン１４のオープン時に脱穀装置１５の機体と外れるカップリング６３（図８）を設けているが、該カップリング６３はフィードチェーン１４の駆動用のギアボックス１３５とフィードチェーン１４に噛み合うスプロケット６４の間に設けられている。前記スプロケット６４はカップリング６３を介してギアボックス１３５により駆動される。
【００３５】
また、フィードチェーン設置部の取付位置がずれないように、また不用意にフィードチェーン設置部が開放しないように、前記ギアボックス１３５とスプロケット６４の部分はロック機構７０が設けられている。すなわち図３と図４の要部拡大図である図８（ａ）の側面図と図８（ｂ）の図８（ａ）のＡ−Ａ線矢視図に示すように、ロック解除レバー７１を矢印▲１▼方向に下げると、該ロック解除レバー７１が回動支点７１ａを中心に矢印▲２▼方向に回動する。そのため、ギアボックス１３５に固定されたプレート７２のロックピン７３とロック解除レバー７１との係合が外れ、フィードチェーン１４が開放可能になる。なお、ロック解除レバー７１はフィードチェーン１４のレール７６を固定するフィードチェーンオープン用のフレーム５３に両端部が固定されたＬ字状板材７７と該板材７７に取り付けられたプレート７８に回動支点７１ａが支持されて、またロック解除レバー７１はＬ字状部材７７にバネ７９により付勢されている。
【００３６】
このように、フィードチェーン１４の駆動用ギアボックス１３５の出力軸とフィードチェーンオープン用フレーム５３に構成されたフィードチェーン駆動用スプロケット６４とがカップリング伝動によって接続され、ギアボックス１３５と前記フレーム５３の間をロックさせる事でカップリング伝動部がずれることなくしっかりと固定され、耐久性が向上し、又過大な負荷が生じた時もカップリング６３が外れる事はない。
【００３７】
また、脱穀装置１５の機枠後方最終端部にフィードチェーンオープン時の回動支点（回動軸５５ａ）を配置し、かつフィードチェーン駆動ギアボックス１３５をワンタッチカップリング６３で脱着できるフィードチェーン駆動スプロケット６４を脱穀装置１５の前方に配置したので、前記回動支点に対してカップリング６３の回動軌跡が大きな半径となり、スプロケット６４と揺動軸１３６（図５）との回動軌跡の接線方向のドッキングを直線的な軌跡上で行えるので、スムーズな接続ができる。
【００３８】
さらに、上記構成によると、フィードチェーンオープン時には、脱穀装置１５の側面に対して９０度以上フィードチェーン１４をオープンできるので、排藁処理部（藁カッター８１などがある領域）に藁が詰まっても、詰まった藁を容易に除去することができる。
【００３９】
また、フィードチェーンオープン時にはフィードチェーン１４の外側に設けたフィードチェーンカバー８０をアーム５４に取付け、フィードチェーン１４と一体的に回動させる。また、脱穀装置側板５９の一部分にメンテナンス用の窓８３を該側板５９に脱着可能に設けているので、この窓８３をフィードチェーン支持フレーム５３に一体的に取付けておき、フィードチェーンオープン時にこの窓８３も一体的にオープンさせる。そのため、フィードチェーン１４をオープンするだけで、脱穀装置１５内部のメンテナンスもオープンした窓８３の部分から容易に行える。
【００４０】
フィードチェーンフルシンクロ構成のコンバインでは、機体の動きを止めた場合には無圧無段変速装置（ＨＳＴ）２８（図５）が中立となり、フィードチェーン１４は回転しない。そこで手動クラッチレバー１６１（図１、図２）により脱穀装置１５から動力を取り出してフィードチェーン１４を回転させることができる。この構成でクラッチレバー１６１を手扱ぎ作業が行い易い機体前部のフレーム５３に設けた場合（図１参照）、フィードチェーンオープン時に前記クラッチレバー１６１を取外すことなく、該レバー１６１も一体でオープンでき、メンテナンス操作性が向上する。
【００４１】
このとき、クラッチレバー１６１によりフィードチェーン１４の「入」「切」をワイヤーケーブル８５を用いて唐箕軸１３７駆動用のテンションプーリ１３９（図２、図５）を作動して行い、またテンションプーリ１３９からクラッチレバー１６１までをケーブル８５を配索し、そのケーブル８５を機体後方のオープン時のコ字状部材５５の回動軸５５ａの内部を通してクラッチレバー１６１をテンションプーリ１３９を接続すると、フィードチェーンオープン時にケーブル８５のたくれが無い。
【００４２】
なお、フィードチェーン１４の手扱ぎ時の駆動用のベルト１３８（図２、図５）をフィードチェーン１４より機体内側に設けることで、フィードチェーン１４から落下する藁クズがベルト伝動部に堆積する事を防止することができる。
【００４３】
また、本実施例のコンバインは図３に示すようにフィードチェーン１４の先端部と刈取装置６の株元搬送チェーン９とを側面視で距離Ｘだけオーバーラップさせ、かつ、排藁チェーン８０とフィードチェーン１４の終端部を側面視で距離Ｙだけオーバーラップさせた構成としているので、フィードチェーンオープン時にフィードチェーン１４の先端部と株元搬送チェーン９の間隙、及び排藁チェーン８０の先端部とフィードチェーン１４の終端部との間隙が同時に拡大する。
【００４４】
排藁チェーン８０の領域に藁が詰まると、その上位にあるフィードチェーン１４の部分及び刈取装置６と脱穀装置１５の部分まで藁が詰まってくることがある。この藁の詰まりを除去する場合には前記した間隙Ｘ、Ｙがあるので、フィードチェーンオープン時に容易にこれらの部分から藁を同時に除去できる。
【００４５】
さらに、図９に示すようにフィードチェーン１４のオープン時の回動支点を脱穀装置１５の後方の機体左右方向の幅と同一幅の機枠縦フレーム８８に設けた構成を採用しても良い。
【００４６】
この構成によると、フィードチェーンオープン時にフィードチェーン設置部を片持支持するためにフィードチェーン回動軸５５ａにかかる過大な力が脱穀装置１５の機枠の縦フレーム８８に支持させることで、機枠の縦フレーム８８と回動支点の取付片５７などを一体化でき、片持支持の強度を十分保つと共に軽量化、コンパクト化が図れる。
【００４７】
図６に示すように刈取装置６もオープンすることができる。株元搬送チェーン９とフィードチェーン１４の先端部が側面視で重なる構成で、刈取装置６のオープン時の回動支点を脱穀装置１５の前方に設けるとフィードチェーンオープン時の回動支点が脱穀装置１５の後方側にあるので、フィードチェーン１４をオープンした状態で刈取装置６をオープンすると、株元搬送チェーン９とフィードチェーン１４が干渉することなく、刈取装置６をオープンでき、しかも刈取装置６のオープン角度を大きくできる。
【００４８】
また、本実施例のエンジンからの駆動力の伝達系統の一部を図５に示すが、変速装置２４の伝動機構は走行伝動ケ−ス２５における伝動経路下手側から操向伝動部２４ａと中間伝動部２４ｂと副変速部２４ｃとカウンタ−部２４ｄ（入出力部２６内にある）と入出力部２６とを設け、回転動力を入出力部２６からカウンタ−部２４ｄ、副変速部２４ｃ及び中間伝動部２４ｂを経由して操向伝動部２４ａに伝動する構成しており、該操向伝動部２４ａを切り替え操作することにより機体の進行方向を右側又は左側に旋回させることができる構成である。
【００４９】
油圧無段変速装置（ＨＳＴ）２８はケース３２の側方に突出している油圧入力軸３３の軸端部にエンジン２１からの駆動力の入力プーリ３５を着脱自在に取り付けているとともに、ケース３２の中に油圧ポンプ２８ａや回転可能に設けている出力軸を有する油圧モータ２８ｂ等を設けており、前記走行伝動ケース２５の右側部の上面と左側部の右横側面との間に形成された空間部に位置させて伝動ケース２５の左側部の右側面に着脱自在に取り付けている。そして、前記入力プーリ３５は操縦席２０の下方の走行フレーム２に着脱自在に設け、且つ負荷が変動しても燃料供給量を自動制御してあらかじめ設定した回転数を出力する構成である。エンジン２１の出力側の端部に取り付けたエンジン出力軸３７に設けたプーリ３８との間にベルト４０を巻いている。なお、無圧無段変速装置（ＨＳＴ）２８から出力される回転動力は変速装置２４の入出力部２６に伝動される。
【００５０】
変速装置２４の入出力部２６の出力はカウンタシャフト１２５を経由してワンウエイクラッチ１３２を駆動し、該クラッチ１３２からベルト４６を介して刈取入力軸４１の刈取入力プ−リ４２に動力が伝達される。刈取入力軸４１は刈取装置６の回動体４３の側方に突出して設けられ、該刈取入力軸４１に刈取入力プ−リ４２が着脱自在に取り付けている。
【００５１】
刈取レバ−４７の操作によって、ベルト４６を張圧又は解除し、回転動力の伝動を入り切りするテンションクラッチＣ１が設けられている。
【００５２】
なお、図５に示すように、エンジン出力軸３７に設けられた出力プーリ９５から点線で示すベルト１４１と常張クラッチＣ２を含む伝達機構により、脱穀装置１５の入力部にある脱穀入力プーリ９６が回転して脱穀装置１５の各駆動部材（揺動棚５１の揺動軸１３６、唐箕軸１３７など）が駆動される。このとき、前記ベルト１４１に設けられたテンションプーリ１２８を脱穀レバ−４８の操作によって作動させて脱穀装置１５の回転動力の伝動を入り切りする脱穀クラッチＣ２を構成している。
【００５３】
脱穀装置１５の前方にフィードチェーン１４を駆動するギアボックス１３５を配置し、駆動軸１３４を経由する無圧無段変速装置（ＨＳＴ）２８からの動力伝動系（ワンウエイクラッチ１３２）と脱穀装置１５からの動力伝動系（プーリ９６、唐箕軸１３７など）の２系統の入力構成とする。さらに、機体外側に配置された手動クラッチレバー１６１によりテンションプーリ１３９を作動させてベルト１３８を介してフィードチェーン１４を駆動させることができる。
【００５４】
このように駆動軸１３４上で、ギアボックス１３５を挟んで両サイドにベルト伝動系（ベルト１３８とベルト１４２）を配置するので、ベルト交換が単独で行え、特に機体外側の脱穀装置１５の動力伝動系のベルト１３８とベルト１４２の交換が単独で行え、メンテナンスが容易となる。
【００５５】
また、フィードチェーン１４は駆動軸１３４と唐箕軸１３７の両方から駆動できるが、この二系統の動力がメカロックしないようにするため、ワンウエイクラッチ１３２が設けられ、図１０に示すように速い速度の方をフィードチェーン１４に伝達する。
また、刈取装置６を所定量上げると作動が開始するモータ１４５を設けておき、刈取装置の前記上昇で刈取装置６とフィードチェーン１４の駆動を停止させる。
【００５６】
本実施例では走行伝動ケース２５の左側面から刈取装置６の駆動系とフィードチェーン１４の駆動系を取り出し、同一出力軸（カウンタシャフト１２５）で刈取装置６とフィードチェーン１４の両者を車速同調回転させる単一のワンウエイクラッチ１３２を設けた構成を採用している。
【００５７】
刈取装置６及びフィードチェーン１４は、無圧無段変速装置（ＨＳＴ）２８が機体を後進させるとき動力を切る必要があるが、刈取装置６駆動用及びフィードチェーン１４駆動用のワンウエイクラッチとして、フィードチェーン１４駆動用プーリ１２６と刈取装置６駆動用のプーリ１２９の両方にまたがった単一のワンウエイククラッチ１３２を用いるだけで良いので、安価に製作できる。
【図面の簡単な説明】
【図１】本発明の実施の形態のコンバインの左側面図である。
【図２】図１のコンバインの脱穀装置のフィートチェーンなどの駆動機構の側面略図である。
【図３】図１のコンバインの刈取装置と脱穀装置の駆動部の略図を含む全体の平面略図である。
【図４】図１のコンバインの刈取装置と脱穀装置の駆動部の略図を含む全体の前面略図である。
【図５】図１のコンバインのエンジンからの駆動の無圧無段変速装置（ＨＳＴ）と揺動棚からフィードチェーンへの動力伝達機構図である。
【図６】図１のコンバインの刈取装置とフィードチェーン設置部を機体から開放した状態の平面略図である。
【図７】図１のコンバインのフィードチェーン支持部材の一部斜視図である。
【図８】図３と図４の要部拡大図である側面図（図８（ａ））と図８（ａ）のＡ−Ａ線矢視図（図８（ｂ））である。
【図９】図１のコンバインの刈取装置とフィードチェーン設置部を共にオープンした時の平面略図である。
【図１０】図１のコンバインのフィードチェーンの移動速度と車速の関係を表す図である。
【符号の説明】
１  駆動輪                      ２  走行フレーム
３  走行装置                    ４  クローラ
５  穀稈引起し装置              ５ａ  刈刃
６  刈取装置                    ７  分草具
８  穂先搬送ラグ                ９  株元搬送チェーン
１０  操向レバー                １１  前部搬送装置
１４  フィードチェーン          １５  脱穀装置
１８、１９  オーガ              ２０  操縦席
２１  エンジン                  ２４  変速装置
２４ａ  操向伝動部              ２４ｂ  中間伝動部
２４ｃ  副変速部                ２４ｄ  カウンター部
２５  走行伝動ケース            ２６  入出力部
２８  無圧無段変速装置（ＨＳＴ）
２８ａ  油圧ポンプ              ２８ｂ  油圧モータ
３０  グレンタンク              ３２  ケース
３３  油圧入力軸                ３５  入力プーリ
３７  エンジン出力軸            ３８  プーリ
４０、４６  ベルト              ４１  刈取入力軸
４２  刈取入力プ−リ            ４３  回動体
４７  刈取レバー                ４８  脱穀レバー
５１  揺動棚                    ５２  動輪
５３  フィードチェーンオープン用フレーム（動輪支持フレーム）
５４  アーム                    ５５  コ字状の支持部材
５５ａ  回動軸                  ５７  取付片
５８  側板フレーム              ５９  側板
６２  入口漏斗                  ６３  カップリング
６４  スプロケット              ６６  扱室
６７  挟扼杆                    ６８  スプリング
６９  扱胴                      ６９ａ  扱歯
７０  ロック機構                ７１  ロック解除レバー
７１ａ  回動支点                ７２  プレート
７３  ロックピン                ７６  レール
７７  Ｌ字状板材                ７８  プレート
７９  バネ                      ８０  排藁チェーン（カバー）
８１  藁用カッター              ８２  駆動用プーリ
８３  窓                        ８４  カッターベルト
８５  ワイヤーケーブル          ８８  機枠縦フレーム
９５  出力プーリ                ９６  脱穀入力プーリ
１２５  カウンタシャフト        １２６、１２９、１３３  プーリ
１２８、１３９  テンションプーリ
１３２  ワンウエイクラッチ
１３４  駆動軸                  １３５  ギアボックス
１３６  揺動軸                  １３７  唐箕軸
１３８  フィードチェーン駆動用ベルト
１４１、１４２  ベルト          １４５  モータ
１６１  手動クラッチレバー
Ｃ１  刈取クラッチ              Ｃ２  脱穀クラッチ
【図１】
2004337070.tif 000003
【図２】
2004337070.tif 000004
【図３】
2004337070.tif 000005
【図４】
2004337070.tif 000006
【図５】
2004337070.tif 000007
【図６】
2004337070.tif 000008
【図７】
2004337070.tif 000009
【図８】
2004337070.tif 000010
【図９】
2004337070.tif 000011
【図１０】
2004337070.tif 000012